(57)【要約】【課題】蒸気を用いて加湿しながら炊飯する炊飯器において、水タンクを用いることなく炊飯による蒸気を再利用して鍋内の調理物を加湿する蒸気を発生するようにし、この蒸気で十分加熱されたおいしいご飯を得るとともに、使い勝手を向上する。【解決手段】炊飯器本体１に鍋２を着脱自在に収納し、この鍋２を加熱手段３により加熱し、炊飯器本体１の開口部を覆う蓋４に内蓋５を設けて鍋２の開口部を塞ぎ、この内蓋５の鍋２の開口部側に吸湿材７を設け、内蓋５を内蓋加熱手段６により加熱するよう構成する。【選択図】図１
2006068276.tif 000002
【特許請求の範囲】
【請求項１】
炊飯器本体に着脱自在に収納される鍋と、この鍋を加熱する加熱手段と、前記炊飯器本体の開口部を覆う蓋と、この蓋に設け前記鍋の開口部を塞ぐ内蓋と、この内蓋の前記鍋の開口部側に設けた吸湿材と、前記内蓋を加熱する内蓋加熱手段とを備えた炊飯器。
【請求項２】
吸湿材は、多孔質の板状の材料で構成した請求項１記載の炊飯器。
【発明の詳細な説明】
【技術分野】
【０００１】
本発明は、蒸気を用いて加湿しながら炊飯する炊飯器に関するものである。
【背景技術】
【０００２】
従来、この種の炊飯器は図２に示すように構成していた。以下、その構成について説明する。
【０００３】
図２に示すように、炊飯器本体１５は、内部に鍋１６を着脱自在に収納するとともに、蒸気を発生する蒸気発生手段１７を設け、蒸気発生手段１７と鍋１５を蒸気管１８により連通接続している。蒸気発生手段１７は水タンク１９と水タンク加熱手段２０とで構成し、炊飯中に所定のプログラムに従って、水タンク加熱手段２０を駆動し、水タンク１９を加熱することで、水タンク１９内の水を加熱し、蒸発させて蒸気を蒸気管１８を通して鍋１５内に供給し、鍋１６内の調理物を加湿する（例えば、特許文献１参照）。
【特許文献１】特開２００３−１４４３０８号公報
【発明の開示】
【発明が解決しようとする課題】
【０００４】
しかしながら、このような従来の構成では、炊飯を行うとき、使用者が鍋１６内の調理物を加湿する蒸気を発生する蒸気発生手段１７の水タンク１９内の水を確認または補給する必要があり、取扱いが煩わしいという問題を有していた。
【０００５】
本発明は上記従来の課題を解決するもので、水タンクを用いることなく炊飯による蒸気を再利用して鍋内の調理物を加湿する蒸気を発生するようにし、この蒸気で十分加熱されたおいしいご飯を得るとともに、使い勝手を向上することを目的としている。
【課題を解決するための手段】
【０００６】
本発明は上記目的を達成するために、炊飯器本体に鍋を着脱自在に収納し、この鍋を加熱手段により加熱し、炊飯器本体の開口部を覆う蓋に内蓋を設けて鍋の開口部を塞ぎ、この内蓋の鍋の開口部側に吸湿材を設け、内蓋を内蓋加熱手段により加熱するよう構成したものである。
【０００７】
これにより、水タンクを用いることなく炊飯による蒸気を再利用して鍋内の調理物を加湿する蒸気を発生することができ、この蒸気で十分加熱されたおいしいご飯を得ることができるとともに、使い勝手を向上することができる。
【発明の効果】
【０００８】
本発明の炊飯器は、水タンクを用いることなく炊飯による蒸気を再利用して鍋内の調理物を加湿する蒸気を発生できるようにし、この蒸気で十分加熱されたおいしいご飯を得ることができるとともに、使用者が水タンクの水を確認または補給する必要性がなく、使い勝手を向上することができる。
【発明を実施するための最良の形態】
【０００９】
第１の発明は、炊飯器本体に着脱自在に収納される鍋と、この鍋を加熱する加熱手段と、前記炊飯器本体の開口部を覆う蓋と、この蓋に設け前記鍋の開口部を塞ぐ内蓋と、この内蓋の前記鍋の開口部側に設けた吸湿材と、前記内蓋を加熱する内蓋加熱手段とを備えたものであり、吸湿材は炊飯時に発生する蒸気を吸湿し、適時に加熱し鍋内へ蒸気として供給することにより、水タンクを用いることなく炊飯による蒸気を再利用して鍋内の調理物を加湿する蒸気を発生することができ、この蒸気で十分加熱されたおいしいご飯を得ることができるとともに、使用者が水タンクの水を確認または補給する必要性がなく、使い勝手を向上することができる。
【００１０】
第２の発明は、上記第１の発明において、吸湿材は、多孔質の板状の材料で構成したものであり、吸湿材を小型化することができ、さらに炊飯沸騰時の蒸気の吸湿を良化することができる。
【００１１】
以下、本発明の一実施の形態について、図面を参照しながら説明する。なお、この実施の形態によって本発明が限定されるものでない。
【００１２】
図１は、本発明の一実施の形態における炊飯器の断面図を示すものである。
【００１３】
図１に示すように、炊飯器本体１は、内部に米と水を入れる鍋を着脱自在に収納し、この鍋２を加熱手段３により誘導加熱するようにしている。炊飯器本体１の開口部を蓋４で覆い、この蓋４に鍋２の上方開口部を密閉する内蓋５と内蓋５を加熱する内蓋加熱手段６とを設けている。吸湿材７は、炊飯時に発生する蒸気を吸湿して液体として貯留し、これを加熱することで蒸気を発生させるもので、多孔質の板状の材料で構成し、内蓋５の鍋２の開口部側に設けている。制御手段８は加熱手段３および内蓋加熱手段６を制御するよう構成している。
【００１４】
上記構成において動作を説明する。使用者が米と水（調理物）を鍋２に入れ、炊飯器の電源を入れ、炊飯開始ボタン（図示せず）を押すと炊飯工程が開始される。炊飯工程が始まると所定のプログラムにしたがって加熱手段３による加熱を行う。加熱手段３により鍋２内の米と水が加熱され蒸気が発生すると、この蒸気は内蓋５に取り付けた吸湿材７に吸湿され、液体として吸湿材７に貯留される。
【００１５】
このとき、所定のプログラムにしたがって、内蓋加熱手段６により内蓋５と吸湿材７が適度に予備加熱される。加熱手段３により鍋２内の米と水がご飯に変化すると、適時に内蓋加熱手段６により内蓋５が加熱され、内蓋５に取り付けた吸湿材７を間接加熱し、吸湿材７に液体として吸湿された蒸気が加熱されて蒸気が発生し、鍋２内に蒸気を充満させる。このことにより、加熱によるご飯の過剰な乾燥を蒸気で加湿することにより防ぎ、十分加熱されたおいしいご飯を得ることができる。
【００１６】
また、炊飯中に吸湿材７に吸湿し液体として貯留された蒸気を保温中に適時に内蓋加熱手段６により加熱し、吸湿材７より蒸気を発生させ保温による乾燥を防ぐことができる。
【００１７】
また、炊飯中の蒸気を吸湿材７に吸湿することにより、炊飯の蒸気が器体外へ排出される量を減少させることができる。
【００１８】
以上のように、本実施の形態においては、内蓋５の鍋２の開口部側に吸湿材７を設け、内蓋５を内蓋加熱手段６により加熱するよう構成したので、水タンクを用いることなく炊飯による蒸気を再利用して鍋２内の調理物を加湿する蒸気を発生することができ、この蒸気で十分加熱されたおいしいご飯を得ることができるとともに、使用者が水タンクの水を確認または補給する必要性がなく、使い勝手を向上することができる。
【００１９】
また、吸湿材７は、多孔質の板状の材料で構成したので、炊飯時沸騰による蒸気をより効率的に吸湿することができ、炊飯器本体外へ排出される蒸気の量を減少することができ、ご飯に加湿する蒸気量を増加することができるとともに、吸湿材７を小型化することができる。
【産業上の利用可能性】
【００２０】
以上のように、本発明にかかる炊飯器は、水タンクを用いることなく炊飯による蒸気を再利用して鍋内の調理物を加湿する蒸気を発生できるようにし、この蒸気で十分加熱されたおいしいご飯を得ることができるとともに、使用者が水タンクの水を確認または補給する必要性がなく、使い勝手を向上することができるので、蒸気を用いて加湿しながら炊飯する炊飯器として有用である。
【図面の簡単な説明】
【００２１】
【図１】本発明の一実施の形態における炊飯器の断面図
【図２】従来の炊飯器の断面図
【符号の説明】
【００２２】
１  炊飯器本体
２  鍋
３  加熱手段
４  蓋
５  内蓋
６  内蓋加熱手段
７  吸湿材
【図１】
2006068276.tif 000003
【図２】
2006068276.tif 000004